(57)【要約】      （修正有）【課題】フラットタイプコンピューターの操作における利便性を大幅に向上させられるコンパクトで形態に便利な補助固定装置を提供する。【解決手段】補助固定装置１は、フラットタイプ電子製品と結合して使用し、引き受けユニット２、サポートユニット４、角度調整機構３、補助ベルト５を備え、引き受けユニット２にフラットタイプコンピューターを設置し、角度調整機構３とサポートユニット４は、引き受けユニット２を横式或いは縦式に直立させ、補助ベルト５を腕に通して設置し、手で持って操作中のフラットタイプコンピューターの滑落を防止可能で、サポートユニット４の特殊構造により、フラットタイプコンピューターは小さな角度の傾斜を呈して机上面に置くことができ、タッチパネル操作に便利で、こうして補助固定装置１により、フラットタイプコンピューターは各種さまざまな使用形態において、便利かつ安全に使用される。【選択図】図２
0003164775.tif 000002
【実用新案登録請求の範囲】
【請求項１】
フラットタイプ電子製品と結合して使用し、引き受けユニット、サポートユニット、角度調整機構を備え、
前記引き受けユニットは、大面積の盤面を形成し、前記盤面の周囲には、突出した複数の挟持片を形成し、前記盤面が位置する区域の相対側面は、前記引き受けユニットの背面で、前記背面位置には、前記角度調整機構を形成し、
前記サポートユニットは、前記角度調整機構に可動接続し、前記サポートユニットを持ち上げた後は、前記引き受けユニット背面との間に挟角を形成し、
前記角度調整機構は、前記サポートユニットを、前記引き受けユニット背面において、さまざまな角度位置に調整可能であることを特徴とする補助固定装置。
【請求項２】
前記複数の挟持片は、前記引き受けユニット周囲の少なくとも３個の側辺位置に形成することを特徴とする請求項１に記載の補助固定装置。
【請求項３】
前記複数の挟持片は、湾曲状を呈し、前記引き受けユニット周知の四隅に形成することを特徴とする請求項１に記載の補助固定装置。
【請求項４】
前記角度調整機構は、軸部品、回転部品、弾性押し上げ部品を備え、
前記軸部品は、前記引き受けユニットの背面の中央区域に突出状に設置し、前記軸部品には、前記弾性押し上げ部品を収容設置し、これにより前記弾性押し上げ部品の突歯は、前記軸部品の外部まで延伸し、
前記回転部品は、リングを形成し、リング内壁には、内環歯を形成し、前記内環歯は、前記軸部品外周に嵌めて設置し、前記弾性押し上げ部品の突歯は、前記内環歯と相互に噛み合うことを特徴とする請求項１に記載の補助固定装置。
【請求項５】
前記引き受けユニットの背面中央区域には、別に少なくとも１個の結合孔槽を設置し、
前記結合孔槽には、他の連接装置を結合可能であることを特徴とする請求項１に記載の補助固定装置。
【請求項６】
前記結合孔槽は、蓋位置に形成し、
前記蓋は、前記引き受けユニット背面に形成する軸部品位置に固定することを特徴とする請求項４又は５に記載の補助固定装置。
【請求項７】
前記サポートユニットは、サポート部品、連接体、嵌合部品により構成し、
前記サポート部品と前記嵌合部品との間は、連接体により連接し、前記連接体は、柔軟性に優れた連接材料で、これにより前記連接体は、大きな角度の湾曲が可能で、
前記サポート部品一端は、前記角度調整機構に可動接続し、前記サポートユニット中においてサポートを担う骨格となることを特徴とする請求項１に記載の補助固定装置。
【請求項８】
前記嵌合部品は、前記連接体から離れた連接位置の側辺に、少なくとも１個の嵌合片を形成し、
前記嵌合片は、湾曲状を呈し、湾曲方向は、前記引き受けユニットに対面し、前記嵌合片は、前記引き受けユニットの側辺に嵌合して接続し、
また、前記連接体が湾曲させられた後は、前記嵌合部品と前記サポート部品とは相互に接近することを特徴とする請求項７に記載の補助固定装置。
【請求項９】
前記補助固定装置はさらに、補助ベルトを備え、
前記補助ベルトは、少なくとも前記角度調整機構と前記引き受けユニットの内のいずれかに連接することを特徴とする請求項１に記載の補助固定装置。
【請求項１０】
前記補助ベルトは、環状のベルトであることを特徴とする請求項１に記載の補助固定装置。
【請求項１１】
前記補助固定装置はさらに、位置限定部品を備え、
前記位置限定部品は、前記サポートユニットと前記角度調整機構との間に、連接し、
前記位置限定部品は、前記サポートユニットが開いた後、前記引き受けユニットと前記角度調整機構との間の角度と位置を維持することを特徴とする請求項１に記載の補助固定装置。
【請求項１２】
補助固定装置は、フラットタイプ電子製品と結合して使用し、引き受けユニット、サポートユニット、角度調整機構、補助ベルトを備え、
前記引き受けユニットは、大面積の盤面を形成し、前記盤面の周囲には、突出した複数の挟持片を形成し、前記盤面が位置する区域の相対側面は、前記引き受けユニットの背面で、前記背面位置には、前記角度調整機構を形成し、
前記サポートユニットは、前記角度調整機構に可動接続し、前記サポートユニットを持ち上げた後は、前記引き受けユニット背面との間に挟角を形成し、
前記角度調整機構は、前記サポートユニットを、前記引き受けユニット背面において、さまざまな角度位置に調整可能で、
前記補助ベルトは、少なくとも前記角度調整機構と前記引き受けユニットの内のいずれかに連接することを特徴とする補助固定装置。
【請求項１３】
前記補助ベルトは、環状のベルトであることを特徴とする請求項１２に記載の補助固定装置。
【請求項１４】
補助固定装置は、フラットタイプ電子製品と結合して使用し、引き受けユニット、サポートユニット、角度調整機構、補助ベルトを備え、
前記引き受けユニットは、大面積の盤面を形成し、前記盤面の周囲には、突出した複数の挟持片を形成し、前記盤面が位置する区域の相対側面は、前記引き受けユニットの背面で、前記背面位置には、前記角度調整機構を形成し、
前記サポートユニットは、前記角度調整機構に可動接続し、前記サポートユニットを持ち上げた後は、前記引き受けユニット背面との間に挟角を形成し、前記サポートユニットは、サポート部品、連接体、嵌合部品により構成し、
前記サポート部品と前記嵌合部品との間は、連接体により連接し、前記連接体は、柔軟性に優れた連接材料で、これにより前記連接体は、大きな角度の湾曲が可能で、
前記サポート部品一端は、前記角度調整機構に可動接続し、前記サポートユニット中においてサポートを担う骨格となり、
前記角度調整機構は、前記サポートユニットを、前記引き受けユニット背面において、さまざまな角度位置に調整可能で、
前記補助ベルトは、少なくとも前記角度調整機構と前記引き受けユニットの内のいずれかに連接することを特徴とする補助固定装置。
【考案の詳細な説明】
【技術分野】
【０００１】
本考案は補助固定装置に関し、特にフラットタイプコンピューター、電子ブックなどのフラットタイプ電子製品に運用し、フラットタイプ電子製品をさまざまな形態で使用する際の、操作時、或いはビデオ観賞時の利便性を高めることができる補助固定装置に関する。
【背景技術】
【０００２】
フラットタイプコンピューターは販売から数年を経て、近年ではタッチパネル技術の成熟、アプリケーションプログラムの大量開発及び使用により、その操作はより便利になっている。
表示スクリーンが広く、重量が適当であるため、フラットタイプコンピューターは携帯に便利であるだけでなく、使用者が手に持って操作する際に非常にフレキシブルであるため、幅広い消費者に受け入れられている。
さらに、フラットタイプコンピューターでは、使用者の設定に応じて、スクリーンに表示する画面を、横式、或いは縦式方式に自由に転換し、多様な使用形態を実現することができる。
【０００３】
しかし、フラットタイプコンピューターには、操作の面で、克服しなければならない欠点がある。
それは、片手でフラットタイプコンピューターを持ち、片手でスクリーンにタッチして操作する際には十分に気をつける必要があるということである。
なぜなら、フラットタイプコンピューターが手から滑り落ちたなら、その損害は深刻なものとなるからである。
また、フラットタイプコンピューターを机上に置く場合、最適な観賞角度は机上面の真上であるが、これは、一般の人が机に向かい座った時に机の横からスクリーンを観察する習慣とは異なり、光が反射し易い。
さらに、スクリーンにタッチして文字を入力する際にも、平らに置いたのでは不便である。
【０００４】
一方、フラットタイプコンピューターでビデオを観賞する時、一切の補助装置がなければ、手で長時間持ち続けなければならず、手が疲れてしまう。
もし、机上面或いは物品などに立て掛けて置いても、フラットタイプコンピューターが滑る可能性があり、またより良い角度に調整しようとしても簡単ではなく、これでは、使用者は最良の角度でビデオを観賞することができない。
本考案は、フラットタイプコンピューターの使用における上記した欠点に鑑みてなされたものである。
【考案の概要】
【考案が解決しようとする課題】
【０００５】
本考案が解決しようとする第一の課題は、フラットタイプコンピューターと結合することで、フラットタイプコンピューターを手で持って操作時の安定性と安全性を高めることができ、フラットタイプコンピューターは横式、或いは縦式で机上面に直立させられ、或いは壁上、またはフックに掛け、さまざまな場所でフラットタイプコンピューターを便利に使用したいという消費者の要求に応えることができ、フラットタイプコンピューターの使用がどんな状態下であっても使用を便利にできる補助固定装置を提供することである。
【０００６】
本考案が解決しようとする第二の課題は、フラットタイプコンピューターと結合して使用しても、増える厚みは少しだけでありながら、フラットタイプコンピューターの操作における利便性を大幅に向上させられるコンパクトで形態に便利な補助固定装置を提供することである。
【課題を解決するための手段】
【０００７】
上記課題を解決するため、本考案は下記の補助固定装置を提供する。
補助固定装置は、引き受けユニット、サポートユニット、角度調整機構を備え、
該引き受けユニットは、大面積の盤面を形成し、該盤面の周囲には、突出した複数の挟持片を形成し、該盤面が位置する区域の相対側面は、該引き受けユニットの背面で、該背面位置には、該角度調整機構を形成し、
該サポートユニットは、該角度調整機構に可動接続し、
該角度調整機構により、該サポートユニットは、該引き受けユニット背面において、特定角度の調整が可能で、
該サポートユニットを持ち上げた後は、該引き受けユニット背面との間に挟角を形成し、該補助固定装置はさらに、補助ベルトを備え、
該補助ベルトは、該角度調整機構と該引き受けユニットの内のいずれかに連接し、使用者は該補助ベルトを腕に巻きつけて、フラットタイプコンピューターを手で持って操作時に不注意で滑落させる状況の発生を回避可能で、
該補助ベルトは壁上のフックに掛け使用者はフラットタイプコンピューターでビデオを観賞でき、
該サポートユニットは、サポート部品、連接体、嵌合部品、連接体により構成し、
該連接体は、柔軟性に優れた連接材料で、大きな角度の湾曲が可能で、通常は、該嵌合部品を利用して、該サポートユニットを該引き受けユニットの背面位置に固定し、該引き受けユニットをフラットタイプコンピューターに結合し、
机上面において使用する時には、該連接体は、湾曲させられ、これにより該嵌合部品は該サポート部品に密着し、該嵌合部品の持ち上げ作用により、該引き受けユニットは、傾斜角度を呈して机上面に置かれ、使用者は机の横に座りスクリーンが表示する画面を観察でき、またタッチパネルを使った入力操作を行うことができる。
【考案の効果】
【０００８】
本考案の補助固定装置は、フラットタイプコンピューターに使用する時、机上面に置くと、フラットタイプコンピューターは小さな角度の傾斜を呈し、タッチパネルの操作に便利となり、手で持つ時には、補助ベルトにより、腕に巻きつけ、フラットタイプコンピューターの地面への落下を防止することができる。
ビデオを観賞しようとする時には、サポートユニットにより、机上面での直立を補助し、横式、縦式共に直立させることができる。
こうして、フラットタイプコンピューターの各種操作形態に対応して、フラットタイプコンピューターの使用をより便利とすることができる。
【図面の簡単な説明】
【０００９】
【図１】本考案の立体図(一)である。
【図２】本考案の立体図(二)である。
【図３】本考案の分解図である。
【図４】本考案の蓋を一時的に除去した後の拡大後視図である。
【図５】縦式直立状態を呈する本考案の立体図である。
【図６】横式直立状態を呈する本考案の立体図である。
【図７】本考案を机上に置いた様子を示す表示図である。
【図８】縦式直立状態を呈する本考案の側視図である。
【考案を実施するための形態】
【００１０】
以下に図面を参照しながら本考案を実施するための最良の形態について詳細に説明する。
【００１１】
本考案補助固定装置の前視及び後視の立体図である図１、２に示すように、本考案補助固定装置１は、引き受けユニット２、角度調整機構３、サポートユニット４を備え、さらに補助ベルト５を備える。
【００１２】
引き受けユニット２は、大面積の盤面２０を形成し、盤面２０の辺縁に近い位置は、曲面状を呈する。
これにより、引き受けユニット２は、辺縁に近い位置に、簡単に開くことができる弾性を備える。
盤面２０周辺位置には、複数の挟持片２１を形成し、挟持片２１は、盤面２０表面に突出する。
盤面２０位置は、フラットタイプコンピューター８を置く場所で、挟持片２１は、フラットタイプコンピューター８周辺を挟持する。
フラットタイプコンピューター８を、盤面２０位置に置くと、引き受けユニット２は、いくらか開かれ、これにより生じる回復力により、挟持して固定する目的を達成するまで、挟持片２１は、フラットタイプコンピューター８側辺を挟持する。
【００１３】
本実施例において、複数の挟持片２１は、湾曲状を呈し、引き受けユニット２の四隅に分布するが、これに限定するものではない。
挟持片２１の数は、少なくとも３個で、しかも引き受けユニット２の少なくとも３個の側辺位置に形成する。
これにより、使用時には、挟持して固定する目的を達成することができる。
【００１４】
盤面２０が位置する区域の相対面は、引き受けユニット２の背面２２で、角度調整機構３は、背面２２の中央区域に形成し、サポートユニット４を可動状に接続する。
角度調整機構３は、少なくともサポートユニット４に０度及び９０度などの特定角度の回転調整を提供することができる。
本実施例では、引き受けユニット２は、長方形状を呈し、主要な使用形態は横式と縦式の２種である。
サポートユニット４を０度状態へと調整すると、引き受けユニット２の縦式形態に対応し(図２参照)、９０度状態へと調整すると、引き受けユニット２の横式形態に対応する。
【００１５】
角度調整機構３は、さまざまな方式により達成することができ、本実施例ではその内の１種について説明するだけであり、これにより本考案の範囲を制限するものではない。
図３、４に示すように、角度調整機構３は、軸部品３１、回転部品３２、弾性押し上げ部品３３を備える。
軸部品３１は、引き受けユニット２の背面２２中央区域において突出し、軸部品３１内の円周に近い位置には、収容設置空間３１１を形成する。
収容設置空間３１１には、弾性押し上げ部品３３を設置する。
軸部品３１の円周位置には、小さな欠口３１２を形成し、欠口３１２は、収容設置空間３１１と相互に通じる。
弾性押し上げ部品３３は、突歯３３１を備え、突歯３３１は、欠口３１２を経由して軸部品３１の外側まで延伸する。
弾性押し上げ部品３３は、環状を呈し、径方向へと圧縮され、これにより突歯３３１は、短い距離の収縮移動を行うことができる。
回転部品３２位置には、リングを形成し、リング内壁には、内環歯３２１を形成する。
内環歯３２１は、軸部品３１外周に嵌めて設置し、突歯３３１は、内環歯３２１と相互に噛み合う。
回転部品３２は、サポートユニット４と可動状態で接続する。
【００１６】
本実施例において、回転部品３２は、軸部品３１位置において、３６０度の回転が可能で、突歯３３１と内環歯３２１との噛み合いを利用し、回転部品３２を回転後の位置に固定する。
つまり、角度調整機構３は、３６０度の角度調整を提供でき、これによりサポートユニット４は、引き受けユニット２背面において、より多種の角度の位置調整を行うことができる。
【００１７】
図３に示すように、本実施例において、引き受けユニット２は別に、蓋２４、複数のネジ２５を備え、これにより、角度調整機構３の各構成部品の位置を固定し、また隠すことができる。
組み立て時には、蓋２４は、軸部品３１の頂点面に蓋をして覆い、ネジ２５は、盤面２０方向より、引き受けユニット２を貫通し、蓋２４と相互に結合して固定する。
【００１８】
図１から、ネジ孔の位置が見えないのは、盤面２０中央区域にソフトクッションを接着するためで、これにより外観がより美しくなり、またソフトクッション２６により、フラットタイプコンピューター８の表面が傷つかないよう保護することができる。
蓋２４位置には、少なくとも１個の結合孔槽２４１を、貫通して別に形成する。
結合孔槽２４１には、他の連接装置を結合することもできる。
その目的は、壁面に掛け、或いは車内に架設するなど、引き受けユニット２が、より多くの形態と連接して使用できるようにするためである。
図に示す結合孔槽２４１の形状は、本考案の一つの実施例に過ぎず、これにより本考案の範囲を制限するものではない。
【００１９】
図２に示すように、補助ベルト５を使用者は腕に巻きつけ、フラットタイプコンピューター８の操作時に、引き受けユニット２が手の中から滑り落ちないよう防止することができ、補助ベルト５の存在により、引き受けユニット２に結合するフラットタイプコンピューター８が、地面に落下して損壊する恐れを払拭することができる。
補助ベルト５は、引き受けユニット２か、角度調整機構３の内の少なくとも１個の構成部品位置に連接することができる。
本実施例では、角度調整機構３の回転部品３２位置に連接することができる。
補助ベルト５は、腕に直接嵌めることができる環状のベルトが好ましく、或いは束縛部品を増設して、脱落を防止することもできるが、これに限定するものではない。
また、使用者は、補助ベルト５により、台所のフック位置に掛けることもでき、これによりフラットタイプコンピューター８で再生される料理番組のビデオを見ながら、料理を作ることもできる。
【００２０】
サポートユニット４は、角度調整機構３位置に可動接続し、起こすことで、引き受けユニット２と一定の挟角を形成することができ、これにより引き受けユニット２を、図５、６に示すように、縦式の直立状、及び横式の直立状の直立状とすることができる。
サポートユニット４は、単一構成部品により構成し、或いは多数の構成部品により構成することができるが、本実施例では、多数の構成部品による方式を採用する。
図３に示すように、サポートユニット４は、サポート部品４１、連接体４２、嵌合部品４３により構成する。
【００２１】
サポート部品４１と嵌合部品４３との間は、連接体４２により連接する。
連接体４２は、繊維ベルト、ゴムベルト、ゴムちょうつがいなど、柔軟性に優れた連接材料で、これにより連接体４２は、大きな角度の湾曲が可能である。
サポート部品４１一端は、角度調整機構３の回転部品３２位置に可動接続し、サポートユニット４中においてサポートを担う骨格となる。
よって、図５、６に示すように、引き受けユニット２が直立状態を呈する時、連接体４２が曲げられると、嵌合部品４３は、サポート部品４１の後方に位置し、サポート部品４１が大部分の圧力を負担し、嵌合部品４３と机上面とが接触する表面には、摩擦力を生じるため、滑り止めの目的を達成する。
【００２２】
嵌合部品４３の設置目的は二つある。
一つは、サポートユニット４の未使用時に、サポート部品４１を、引き受けユニット２の背面２２に密着し、固定することである。
もう一つは、引き受けユニット２を机上面に置く時、嵌合部品４３により、引き受けユニット２の片側を持ち上げ、引き受けユニット２に小さな角度の傾斜状態を形成させるためである。
よって、嵌合部品４３は、連接体４２から離れた連接位置の側辺に、少なくとも１個の嵌合片４３１を形成する。
嵌合片４３１は、湾曲状を呈し、湾曲方向は、引き受けユニット２に対面する。
本実施例では、２個の嵌合片４３１を設置し、引き受けユニット２の相対する両辺には、少なくとも１個の凸ブロック２８を設置する。
凸ブロック２８は、嵌合片４３１を嵌合して接続することができる。
図２に示すように、サポートユニット４は、嵌合部品４３を利用して、引き受けユニット２の背面２２に固定することができる。
【００２３】
図７に示すように、湾曲した連接体４２は、嵌合片４３１とサポート部品４１は相互に接近し、さらには密着する。
湾曲状を呈する嵌合片４３１は、引き受けユニット２を持ち上げ、この時、引き受けユニット２を机上面に置くと、引き受けユニット２は、小さな角度の傾斜状態を呈し、引き受けユニット２に結合するフラットタイプコンピューター８も、小さな角度の傾斜を呈することができる。
これにより、使用者は便利にコンピューターを操作できる。
【００２４】
さらに、本考案では、サポートユニット４と角度調整機構３との間に、別に位置限定部品６を設置する。
位置限定部品６設置の目的は、以下の三つである。
一つは、サポートユニット４が開いた後、引き受けユニット２と形成する挟角が大きくなり過ぎないように限定することである。
もう一つは、サポートユニット４が、作用力を引き受ける時、角度調整機構３と可動接続する位置が断裂しないようにすることである。
第三には、サポートユニット４が開いた後、引き受けユニット２との間の位置を維持及び固定することである。
【００２５】
図３に示すように、位置限定部品６は金属材質で、Ω型に似た形状を呈し、中央区域に位置する横セクション６１は、回転部品３２の可動接続ブロック３２２位置に可動接続する。
可動接続ブロック３２２の位置は、回転部品３２とサポート部品４１との可動接続位置から離れ、位置限定部品６の両端には、外方向に向かう２個の突出セクション６２を形成する。
サポート部品４１は、引き受けユニット２の表面位置に対面し、中央に近い区域に相対して対面する導入槽４１１を形成する。
組み立て時には、位置限定部品６の横セクション６１は、可動接続ブロック３２２位置に可動接続し、突出セクション６２は、導入槽４１１内においてスライド移動する。
図８に示すように、位置限定部品６の存在により、引き受けユニット２とサポート部品４１との間の挟角を制限し、また引き受けユニット２とサポート部品４１との間の位置を固定する。
これにより、引き受けユニット２は、直立方式において、揺れ動き難くなる。
【００２６】
上記したように、本考案の補助固定装置１は、フラットタイプコンピューター８に使用する時、机上面に置くと、フラットタイプコンピューター８は小さな角度の傾斜を呈し、タッチパネルの操作に便利となり、手で持つ時には、補助ベルト５により、腕に巻きつけ、フラットタイプコンピューター８の地面への落下を防止することができる。
ビデオを観賞しようとする時には、サポートユニット４により、机上面での直立を補助し、横式、縦式共に直立させることができる。
こうして、フラットタイプコンピューター８の各種操作形態に対応して、フラットタイプコンピューター８の使用をより便利とすることができる。
【００２７】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２８】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２９】
１  補助固定装置
２  引き受けユニット
２０  盤面
２１  挟持片
２２  背面
２４  蓋
２４１  結合孔槽
２５  ネジ
２６  ソフトクッション
２８  凸ブロック
３  角度調整機構
３１  軸部品
３１１  収容設置空間
３１２  欠口
３２  回転部品
３２１  内環歯
３２２  可動接続ブロック
３３  弾性押し上げ部品
３３１  突歯
４  サポートユニット
４１  サポート部品
４１１  導入槽
４２  連接体
４３  嵌合部品
４３１  嵌合片
５  補助ベルト
６  位置限定部品
６１  横セクション
６２  突出セクション
８  フラットタイプコンピューター
【図１】
0003164775.tif 000003
【図２】
0003164775.tif 000004
【図３】
0003164775.tif 000005
【図４】
0003164775.tif 000006
【図５】
0003164775.tif 000007
【図６】
0003164775.tif 000008
【図７】
0003164775.tif 000009
【図８】
0003164775.tif 000010